(57)【要約】【課題】  ＲＳＳ出力のＵＲＬ情報をまとめて一元管理することができ、ＲＳＳリーダでの利用や管理が簡単にできるようにする。【解決手段】  ネットワーク通信装置ＦＸは、ローカルエリアネットワークＬＡＮ上でのデータのやり取り機能と、ルータ装置ＲＴ、インターネットを介してファクシミリデータのやり取り機能を備えると共に、メールサーバ装置ＳＭが上記ＬＡＮを介して受信した電子メールに含まれる画情報を公衆網ＰＳＴＮを介して他の通信装置に送信する。また、ネットワーク通信装置はＨＴＴＰプロトコルによりクライアントアプリケーションからアクセスされ、通信履歴やジョブ履歴、ファクス受信文書一覧の情報を要求されると、セマンティックＸＭＬ文書（ＲＤＦ、ＲＳＳフォーマット等）により返答する。このＲＳＳ出力される情報のＵＲＬを１つのＯＰＭＬファイルとして出力する機能を有する。【選択図】  図１
2006246261.tif 000002
【特許請求の範囲】
【請求項１】
ローカルエリアネットワーク上での電子メールを含むデータの送受信手段と、
前記ローカルエリアネットワークと当該ローカルエリアネットワークに接続された第１の公衆ネットワークを介してファクシミリデータを送受信する送受信手段と、
前記ローカルエリアネットワーク及び／又は前記第１の公衆ネットワークを介して受信した電子メールに含まれる画情報を第２の公衆ネットワークを介して送信する送信手段と、
ＨＴＴＰプロトコルによりクライアントアプリケーションからアクセスされ、通信履歴、ジョブ履歴、ファクス受信文書一覧の情報を要求されたとき、これらの情報をＲＤＦ、ＲＳＳフォーマット等のセマンティックＸＭＬ文書に作成して出力し、その際、前記フォーマットで出力される前記情報のＵＲＬを１つのＯＰＭＬファイルとして出力する作成出力手段とを備えたことを特徴とするネットワーク通信装置。
【請求項２】
前記作成出力手段は、前記フォーマットで出力される前記情報のＵＲＬを各機能ごとに提供している場合に、機能カテゴリごとにＯＰＭＬファイルとして出力することを特徴とする請求項１記載のネットワーク通信装置。
【請求項３】
前記作成出力手段は、各種情報をＷｅｂブラウザに公開していて、そのページごとにＲＳＳフォーマットで出力している場合には、トップページに全てのＵＲＬをまとめたＯＰＭＬのリンクアイコンを表示させる機能を有することを特徴とする請求項１記載のネットワーク通信装置。
【請求項４】
前記作成出力手段は、各種情報をＷｅｂブラウザに公開していて、そのページごとのＲＳＳフォーマットで出力している場合には、メニューカテゴリの最初のページにＯＰＭＬのリンクアイコンを表示させる機能を有することを特徴とする請求項１記載のネットワーク通信装置。
【請求項５】
前記作成出力手段は、前記ＯＰＭＬファイルを予め指定したアドレスにメールで送信する機能を有することを特徴とする請求項１記載のネットワーク通信装置。
【請求項６】
前記作成出力手段は、前記メール送信する内容は、機能選択をすることによりファイル内容を変更することができるようにすることを特徴とする請求項１記載のネットワーク通信装置。
【請求項７】
ＯＰＭＬアイコン表示を行うＷｅｂページを機能選択をすることによりユーザが選べるようにすることを特徴とする請求項３又は４記載のネットワーク通信装置。
【発明の詳細な説明】
【技術分野】
【０００１】
本発明は、ファクシミリ機能を持つネットワーク通信装置に関するものである。
【背景技術】
【０００２】
従来のネットワーク通信装置の情報取得はブラウザ経由で行っていたが、ＨＴＭＬファイルをブラウザで表示するだけであったので、データの２次利用や簡易的な方法で表示することができなかった。そこで、ＲＳＳを用いてＸＭＬファイルで機器の情報を取得できるようにした方法がある。また、従来よりブラウザから通信装置の設定をする方法があったが（例えば、特許文献１，２参照）、後述する本発明のようにセマンティックＸＭＬにより情報提供する方法はなかった。また、機器（ＭＦＰ）のパラメータ設定は、Ａｃａｃｉａの仕組みを用いてＷｅｂブラウザから行っており、その場合は、ＨＴＭＬでありＸＭＬではない。
【特許文献１】特開２０００−９２２６２号公報
【特許文献２】特開２００２−７０９５号公報
【発明の開示】
【発明が解決しようとする課題】
【０００３】
前述したＲＳＳを用いてＸＭＬファイルで機器の情報を取得する方法では、複数の機能が存在している場合は、個々の機能のＵＲＬを簡単に知る手段がなく、複数のＲＳＳによる機器情報を一度に管理することができなかった。この問題に対して、請求項１，２の発明は、ＲＳＳ出力のＵＲＬ情報をまとめて一元管理することができ、ＲＳＳリーダでの利用や管理が簡単にできるようにすることを目的とする。
【０００４】
また、上記のように従来は上記複数のＲＳＳによる機器情報を一度に管理することができず、さらにＯＰＭＬで一元管理してもその代表ＵＲＬを知る手段がなかった。この問題に対して、請求項３の発明は、ＲＳＳ出力のＵＲＬ情報をまとめて一元管理するためのＯＰＭＬファイルの存在場所を機器のＷｅｂ画面のトップページにおくことにより簡単にＵＲＬを知ることができるようにすることを目的とする。
請求項４の発明は、ＯＰＭＬファイルの存在場所を機器のＷｅｂ画面の各機能の最初のページにおくことにより簡単にＵＲＬを知ることができるようにすることを目的とする。
請求項５の発明は、本発明では、ＲＳＳ出力のＵＲＬ情報をまとめて一元管理するためのＯＰＭＬファイルをメールにて通知することにより簡単に内容を取得ることができるようにすることを目的とする。
請求項６の発明は、ＲＳＳ出力のＵＲＬ情報をまとめて一元管理するためのＯＰＭＬファイルをメールで通知することにより簡単に内容を取得ることができるようにすることを目的とする。メール通知する内容は、機能選択をすることによりファイル内容を変更することができるようにすることを目的とする。
【０００５】
また、請求項７の発明は、請求項３，４のＯＰＭＬアイコン表示を行うＷｅｂページを機能選択をすることによりユーザが選べるようにすることを目的とする。
【課題を解決するための手段】
【０００６】
請求項１の発明によるネットワーク通信装置は、ローカルエリアネットワーク上での電子メールを含むデータの送受信手段と、前記ローカルエリアネットワークと当該ローカルエリアネットワークに接続された第１の公衆ネットワークを介してファクシミリデータを送受信する送受信手段と、前記ローカルエリアネットワーク及び／又は前記第１の公衆ネットワークを介して受信した電子メールに含まれる画情報を第２の公衆ネットワークを介して送信する送信手段と、ＨＴＴＰプロトコルによりクライアントアプリケーションからアクセスされ、通信履歴やジョブ履歴、ファクス受信文書一覧の情報を要求されたとき、これらの情報をＲＤＦ、ＲＳＳフォーマット等のセマンティックＸＭＬ文書に作成して出力し、その際、前記フォーマットで出力される前記情報のＵＲＬを１つのＯＰＭＬファイルとして出力する作成出力手段とを備えたことを特徴とするものである。
【０００７】
請求項２の発明によるネットワーク通信装置は、請求項１記載の装置において、前記作成出力手段は、前記フォーマットで出力される前記情報のＵＲＬを各機能ごとに提供している場合に、機能カテゴリごとにＯＰＭＬファイルとして出力することを特徴とするものである。
請求項３の発明によるネットワーク通信装置は、請求項１記載の装置において、前記作成出力手段は、各種情報をＷｅｂブラウザに公開していて、そのページごとにＲＳＳフォーマットで出力している場合には、トップページに全てのＵＲＬをまとめたＯＰＭＬのリンクアイコンを表示させる機能を有することを特徴とするものである。
【０００８】
請求項４の発明によるネットワーク通信装置は、請求項１記載の装置において、前記作成出力手段は、各種情報をＷｅｂブラウザに公開していて、そのページごとのＲＳＳフォーマットで出力している場合には、メニューカテゴリの最初のページにＯＰＭＬのリンクアイコンを表示させる機能を有することを特徴とするものである。
請求項５の発明によるネットワーク通信装置は、請求項１記載の装置において、前記作成出力手段は、前記ＯＰＭＬファイルを予め指定したアドレスにメールで送信する機能を有することを特徴とするものである。
【０００９】
請求項６の発明によるネットワーク通信装置は、請求項１記載の装置において、前記作成出力手段は、前記メール送信する内容は、機能選択をすることによりファイル内容を変更することができるようにすることを特徴とするものである。
請求項７の発明によるネットワーク通信装置は、請求項３又は４記載の装置において、ＯＰＭＬアイコン表示を行うＷｅｂページを機能選択をすることによりユーザが選べるようにすることを特徴とするものである。
【発明の効果】
【００１０】
請求項１の発明によれば、ネットワーク通信装置は、ＲＳＳファイルのＵＲＬ情報をＸＭＬファイルでまとめて情報を取得できるので、その情報を２次利用したり、ツールで簡単に表示をするなどの制御ができるようになる。また、ＯＰＭＬで公開されているリストであれば、ドラッグドロップによりニュースリーダで読み込むことができるようになる。
【００１１】
請求項２の発明によれば、請求項１のネットワーク通信装置は、ＲＳＳファイルのＵＲＬ情報をＸＭＬファイルで機能ごとにまとめて情報を取得できるので、その情報を２次利用したり、ツールで簡単に表示をするなどの制御ができるようになる。
請求項３の発明によれば、請求項１のネットワーク通信装置は、ＲＳＳファイルのＵＲＬ情報の存在を機器のＷｅｂページのトップページにリンクを置くことにより簡単に利用することができるようになる。
【００１２】
請求項４の発明によれば、請求項１のネットワーク通信装置は、ＲＳＳファイルのＵＲＬ情報の存在を機器のＷｅｂページの各機能の最初のページにリンクを置くことにより機能ごとに簡単に利用することができるようになる。
請求項５の発明によれば、請求項１のネットワーク通信装置は、ＲＳＳファイルのＵＲＬ情報をまとめてＸＭＬファイルとしてメールで送信することにより簡単に取得して利用することができるようになる。
【００１３】
請求項６の発明によれば、請求項１のネットワーク通信装置は、ＲＳＳファイルのＵＲＬ情報を必要な機能だけのＸＭＬファイルとしてメールで送信することにより簡単に取得して利用することができるようになる。
請求項７の発明によれば、請求項１のネットワーク通信装置は、ＯＰＭＬアイコン表示を行うＷｅｂページを機能選択することによりユーザが自由に選べるようになる。また公開する機能を細かく選択できるようになる。
【発明を実施するための最良の形態】
【００１４】
以下、本発明の実施の形態を図面と共に説明する。
図１は請求項１に関する本発明の第１の実施の形態によるネットワーク通信装置を用いたネットワーク通信システムを示すブロック図である。
本実施の形態によるネットワーク通信装置ＦＸは、ローカルエリアネットワークＬＡＮ上でのデータのやり取りの機能と、インターネットなどの公衆回線を介して行われるファクシミリ伝送手順によるファクシミリデータのやり取りの機能を備えると共に、ローカルエリアネットワークＬＡＮを介して受信した電子メールに含まれる画情報を公衆網ＰＳＴＮに接続された他の通信装置に送信するようになされている。
【００１５】
図１において、ローカルエリアネットワークＬＡＮには、複数のワークステーション装置ＷＳ１〜ＷＳｎ、メールサーバ装置ＳＭ、ネットワーク通信装置ＦＸが接続されている。ローカルエリアネットワークＬＡＮは、ルータ装置ＲＴを介してインターネットに接続され、このインターネットに接続された他のローカルエリアネットワーク等に接続されているホスト装置との間で種々のデータのやり取りが可能である。メールサーバ装置ＳＭは、ワークステーション装置ＷＳ１〜ＷＳｎを利用するユーザ及びネットワーク通信装置ＦＸに対して電子メールの収集、配信サービスを提供する。
【００１６】
ワークステーション装置ＷＳ１〜ＷＳｎは、ローカルエリアネットワークＬＡＮを介して種々のデータのやりとりを行うアプリケーションソフトウェア（電子メールアクセスなど）やネットワーク通信装置FXから受信した電子メールに含まれる画情報を処理するアプリケーションソフトウェア（ビューワなど）など種々のプログラムを備えていて、これらは特定のユーザにより使用される。特定のユーザは１人または複数人であってよい。
【００１７】
ネットワーク通信装置ＦＸは、インターネットを介して行われるファクシミリ伝送手順によるファクシミリデータのやり取りの機能と、ローカルエリアネットワークＬＡＮにおける電子メールの送受信機能を有する。また、公衆網ＰＳＴＮに接続し、この公衆網ＰＳＴＮを伝送路としてグループ３ファクシミリ伝送手順による上記画情報の伝送機能を備えている。
【００１８】
ローカルエリアネットワークＬＡＮに接続されている上記各端末装置相互間でのデータのやり取りは、ＴＣＰ／ＩＰというトランスポートレイヤまでの伝送プロトコルと、それ以上の上位レイヤの通信プロトコルの組み合わせを適用して行われる。例えば、電子メールの送信では、上位レイヤの通信プロトコルとして、ＳＭＴＰ（Simple Mail Transport Protocol）という通信プロトコルが適用される。また、電子メールはメールサーバ装置ＳＭに一旦蓄積された後に配信される。例えば、ネットワーク通信装置ＦＸからワークステーション装置ＷＳ１への電子メールは、メールサーバ装置ＳＭに一旦蓄積される。
【００１９】
また、ワークステーション装置ＷＳ１〜ＷＳｎ及びネットワーク通信装置ＦＸは、適当な周期でメールサーバ装置ＳＭに対して自端末ユーザ宛の電子メール受信の有無の問い合わせを行い、ユーザ宛の電子メールがメールサーバ装置ＳＭに蓄積されているときは、メールサーバ装置ＳＭによりその電子メールを受信して、上記自端末ユーザにその旨を通知する。例えばワークステーション装置ＷＳ１が、メールサーバ装置ＳＭに対して自端末ユーザ宛の電子メール受信の有無の問い合わせを行うと、メールサーバ装置ＳＭは上記自端末ユーザ宛の電子メールが蓄積されていれば、その旨をワークステーション装置ＷＳ１に通知する。ワークステーション装置ＷＳ１はその電子メールを受信すると共に、受信した旨をユーザに通知する。通知を受け取ったユーザは、その電子メールの内容を読み出して内容を確認する。この通信プロトコルとしては、ＰＯＰ（Post Office Protocol）などを適用することができる。
【００２０】
また、ワークステーション装置ＷＳ１〜ＷＳｎからネットワーク通信装置ＦＸに対し、公衆網ＰＳＴＮに接続された他の通信装置に画情報の中継送信依頼を行うことができ、その中継依頼画情報の送信には電子メールが適用される。この場合、ローカルエリアネットワークＬＡＮはインターネットに接続されているので、このインターネットに接続されている他のワークステーション装置等のユーザも、このネットワーク通信装置ＦＸに対して画情報の中継送信依頼を行うことができる。この電子メールは、ＭＩＭＥ（Multipurpose Internet Mail Extension）形式のものである。画情報は、Base64符号化形式で符号化した後の情報がセットされる。
【００２１】
図２はネットワーク通信装置FXの構成例を示すブロック図である。
図２において、システム制御部１は、各部の制御処理、およびファクシミリ伝送制御手順などの各種制御処理を行う。システムメモリ２は、システム制御部１が実行する制御処理プログラムおよび処理プログラムを実行するときに必要な各種データなどを記憶すると共に、システム制御部１のワークエリアを構成する。パラメータメモリ３は、このネットワーク通信装置ＦＸに固有な各種の情報を記憶する。時計回路４は、現在時刻情報を出力する。スキャナ５は、所定の解像度で原稿画像を読み取る。プロッタ６は、所定の解像度で画像を記録出力する。操作表示部７は、各種操作キーおよび各種表示器からなる。符号化復号化部８は、画信号を符号化圧縮すると共に、符号化圧縮された状態の画情報を多数記憶する。
【００２２】
画像蓄積装置９は、符号化圧縮された状態の画情報を多数記録する。グループ３ファクシミリモデム（Ｇ３ＦＡＸモデム）１０は、グループ３ファクシミリのモデム機能を実現する。網制御装置１１は、このネットワーク通信装置を電話回線網（ＰＳＴＮ）に接続するためのもので、自動発着信機能を備えている。ローカルエリアネットワークインターフェース回路（ＬＡＮ  Ｉ／Ｆ）１２は、このネットワーク通信装置ＦＸをローカルエリアネットワークＬＡＮに接続する。ローカルエリアネットワーク（ＬＡＮ）伝送制御部１３は、ローカルエリアネットワークＬＡＮを介して他の端末装置との間で種々のデータをやり取りするための各種所定のプロトコルの通信制御処理（電子メール送受信処理など）を実行する。
【００２３】
これらのシステム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ローカルエリアネットワーク伝送制御部１３は、内部バス１４に接続されていて、これらの各要素間でのデータやり取りは、主としてこの内部バス１４を介して行われる。また、網制御装置１１とグループ３ファクシミリモデム１０との間のデータのやり取りは直接行われる。
【００２４】
ここで、各実施の形態で用いられる用語について説明する。
ＨＴＴＰ（Hyper Text Transfer Protocol）とは、いわゆるＷＷＷ（World-Wide Web）を実現するためのプロトコルである。通常、ＴＣＰ上(ポート番号:80)でやり取りされる。ＧＥＴやＰＯＳＴなどのコマンドにより、ブラウザがサーバに対して処理を指定し、そのレスポンスとして、ＨＴＭＬ（Hyper Text Markup Language）ファイルや画像ファイルなどがサーバから送られてくる。ＨＴＴＰには、プロトコルとしてのバージョンがあり、多くのブラウザは、まだ、1.0(RFC1945)までにしか対応していない。最新のバージョンは、1.1(RFC2616)である。1.1では、コマンドやレスポンス自体やフォーマットなどに、多くの拡張がなされている。ワークステーション装置にインストールされているブラウザソフトから閲覧することができる。
【００２５】
ＸＭＬ（eXtensible Markup Language）とは、Ｗ３Ｃ（WWW技術の標準化団体）の勧告（Recommendation）で、ＳＧＭＬ（ISO/IEC 8879:1986）を簡略化し、インターネット対応したものであり、ＨＴＭＬと違い、任意のタグが使用可能である。またデータと処理（レイアウト（デザイン））を分離して記述できる点に特徴がある。通信履歴などの通信装置の情報は、ＸＭＬファイルの形式で提供することができる。ＸＭＬデータの一例を図８に示す。また、本実施の形態におけるセマンティックＸＭＬ文書とは、ＲＤＦ、ＲＳＳフォーマット等の文書をいうものとする。
【００２６】
次に、ＲＳＳとは何かをＵＮＩＸ（登録商標）  ＵＳＥＲ  ２００４年３月号から引用して説明する。
「ＲＳＳはサイトの概要を記述し、配布するためのＸＭＬフォーマットです。ＸＭＬなどというといきなり難しく感じますが、要は文書の構造を簡単にマークアップしたテキストファイルと思えばいいでしょう。ＸＭＬは人が直接読むものではなく、プログラムがそれを解釈することで、いろいろな形で応用されるデータ、すなわちメタデータです。ＲＳＳのフォーマットに従って記述された文書をＲＳＳ文書、あるいはＲＳＳフィードなどと呼びます。ＲＳＳは、様々な企業や団体により仕様が標準化されています。異なるサイトの新着情報、そのデータの書式が統一されていれば、プログラムを作る人はその決まりに従ってデータを解釈するだけでいいので、楽ですね。こういった場合、最近ではＸＭＬで記述するのが一般的です。こういった流れから、ＲＳＳ文書もＸＭＬ文書で記述されます。ＲＳＳ文書を利用する代表的なアプリケーションとして、複数のサイトのＲＳＳ文書を読み込んで新着情報を横断的に表示するＲＳＳリーダがあります。ＨＴＭＬやＣＳＳを解釈してＷｅｂサイトをレンダリングするＷｅｂブラウザと似たようなものだと考えると、イメージしやすいでしょう。」
【００２７】
ＲＳＳとは、
http://e-words.jp/w/RSS.html
ＲＳＳにはいくつかのバージョンが混在すると共に、名前自体も何種類かある。
RDF Site Summary
Rich Site Summary「1.0系列」
Real Simple Syndication「0.9-2.0系列」
RSS -- サイト情報の要約と公開
http://kanzaki.com/docs/sw/rss.html
【００２８】
Atomとは、
http://www.kanzaki.com/docs/sw/atom.html
ＡＴＯＭフィードは、サイトの更新情報をＸＭＬファイルの形式で提供する「ＲＳＳフィード」の改良版である。ＡＴＯＭフィードは、このＲＳＳフィードをさらに進化させたものである。ＡＴＯＭフィードは、ＲＳＳフィードよりもより豊富な情報をフィード内容に含めることができる。現状ではbroadcastしかできないＲＳＳに双方向性を持たせる枠組み。
【００２９】
ＲＳＳのＵＲＬの指定方法は、以下のように行う（getの場合）。
【表１】
2006246261.tif 000003
(1)通信プロトコル
次の二つのいずれかを指定する。ただし、機器の設定状態によっては指定されたプロトコルで通信できない場合がある。なお、詳細はＡｃａｃｉａ機能仕様書を参照のこと。
ｈｔｔｐ      ＨＴＴＰ。
ｈｔｔｐｓ    ＨＴＴＰＳ  ＳＳＬによる経路の暗号化を行う。
【００３０】
(2)ユーザプロファイル
次の二つのいずれかを指定する。
Ｇｕｅｓｔ  ゲストモード。個人認証しない設定の場合に使用する。
ｅｎｔｒｙ    認証モード。個人認証する設定の場合、または管理者としてログインする場合に使用する。
(3)言語
表示に用いる言語。選択できる言語のみ指定できる。通常、本体操作部で選択できる言語に依存する。
【００３１】
(4)機能
各機能のパス。例えば、通信履歴はwebfax、ジョブ履歴は、jobhistoryなど。
(5)ＲＳＳバージョン
ＲＳＳのバージョンを指定する。各機能でサポートしているバージョンはこれを参照のこと。
rss1.0    RSS 1.0
rss0.91    RSS 0.91
rss2.0    RSS 2.0
atom    Atom
【００３２】
図３にネットワーク通信装置ＦＸ（サーバ）とクライアントソフトウェアとのやり取りを示す。
クライアント側は、ＲＳＳアグリゲータ（ＲＳＳリーダ）で、ＨＴＴＰのＧＥＴ（またはＰＯＳＴ）により情報取得のリクエストを出す。ネットワーク通信装置側は、レスポンスとしてＯＰＭＬファイル（ＸＭＬデータ）を返す。ＲＳＳアグリゲータでは、そのＸＭＬデータを図９のように表示する。
【００３３】
ここで、ＯＰＭＬとは、複数のＲＳＳをまとめて記述する方式として一般的になってきているＸＭＬフォーマットである。ＯＰＭＬは opml.org に仕様が規定されているＸＭＬ フォーマットの1つで、基本的にはOutline Processor Markup Language が示す通り、アウトラインプロセッサ向けのデータ記述言語である。
【００３４】
ＯＰＭＬのＵＲＬの指定方法は、以下のように行う。（getの場合）
【表２】
2006246261.tif 000004
(1)通信プロトコル
(2)ユーザプロファイル
(3)言語
(4)ＯＰＭＬファイル名
【００３５】
図３はネットワーク通信装置の動作を示すフローチャートである。
クライアント側からのリクエストを受けると（Ｓ１／ＹＥＳ）、ＧＥＴの引数を解析する（Ｓ２）。指定されたＵＲＬがＯＰＭＬのファイル名であれば（Ｓ３／ＹＥＳ）、ＯＰＭＬファイルを生成して（Ｓ４）、ＸＭＬデータとしてレスポンスを返す（Ｓ５）。もし、指定されたＵＲＬが存在しないＵＲＬであった場合は（Ｓ３／ＮＯ）、404NotFoundを返す（Ｓ６）。
【００３６】
図５にＯＰＭＬのフォーマットサンプル（全体表示）を示す。
ヘッダ部（<head>）には、<title>、<ownername>、<owneremail>がある。
<title>には通信装置（ネットワーク通信装置）の名前を出力する。
<ownername>には通信装置のホスト名（またはＩＰアドレス）を出力する。
<owneremail>には通信装置の管理者メールアドレスを出力する。入力されていない場合は空値とする。
【００３７】
<head>
<title>imagio Neo 9999</title>
<ownername>RICOH 0001</ownername>
<owneremail>admin@ricoh.co.jp</owneremail>
</head>
<body>部には、最初にカテゴリのタイトルを出力する。例えば、機能名称「Web Image Monitor」などである。２行目以降にURLを出力する。この通信装置は、Webブラウザでも表示可能なので、そのHTMLのURLを示すhtmlurlとＲＳＳ出力するxmlurlの２つを出力する。
【００３８】
<body>
<outline text="Web Image Monitor">
<outlinetext="PCFAX"   ジョブ履歴
htmlurl="http://hostname/web/guest/ja/webfax/pcfaxJobHistory.cgi" xmlurl="http://hostname/web/guest/ja/webfax/pcfaxJobHistory.cgi?xml=rss1.0" />
</outline>
</body>
【００３９】
詳細は以下を参照のこと。
ＯＰＭＬ仕様
http://www.opml.org/spec
OPML 1.0 Specificationの勝手な日本語訳
http://hail2u.net/documents/opml_spec.html
【００４０】
以上説明した第１の実施の形態によれば、ＲＳＳファイルのＵＲＬ情報をＸＭＬファイルでまとめて情報を取得できるので、その情報を利用して２次利用をしたり、ツールで簡単に表示をするなどの制御ができるようになる。ＯＰＭＬで公開されているリストであればドラッグドロップによりニュースリーダで読み込むことができるようになる。
http://www.gluesoft.co.jp/NewsGlue/OPML.aspx
【００４１】
次に、請求項２に関する第２の実施の形態を説明する。基本動作は第１の実施の形態と同様である。図６にＯＰＭＬのフォーマットサンプル（機能別）を示す。
通信装置の各機能ごとにまとめる場合には、図６（ａ）に示すように<outline>で束ねて表記する。その場合、コピー機能、FAX機能、プリンタ機能などのように分ける方法や、ジョブ履歴、初期設定などのカテゴリで分ける方法などがある。この通信装置は、Ｗｅｂブラウザでも表示可能なので、そのメニュー表示と一致させるとよい。また、図６（ｂ）において、ＯＰＭＬの中の<outlinetext= ジョブ−プリンタ>の部分がカテゴリとして図示のWeb  Image  Monitorのメニュー表示の下線部分と一致するようになる。このカテゴリはＲＳＳリーダで閲覧した場合に、Web  Image  Monitorと同じように表示される効果がある。
【００４２】
ＯＰＭＬファイルをＲＳＳアグリゲータで読みこんだ場合には、「My feeds」「Available Feeds」「Favorites」がカテゴリに相当する。図６（ａ）における「ジョブ−プリンタ」「ジョブ−FAX」「ジョブ−ドキュメントボックス」に相当する。このようにカテゴリ（フォルダ）分けされた中に<outline text="PCFAXジョブ履歴" ...>で指定した各機能ページのＲＳＳ出力が表示されるようになる。図７にＦＡＸ通信履歴一覧画面を示す。
【００４３】
第２の実施の形態によれば、ＲＳＳファイルのＵＲＬ情報をＸＭＬファイルで機能ごとにまとめて情報を取得できるので、その情報を２次利用をしたり、ツールで簡単に表示をするなどの制御ができるようになる。
即ち、第１、第２の実施の形態によれば、ＲＳＳ出力のＵＲＬ情報をまとめて一元管理することができ、ＲＳＳリーダでの利用や管理が簡単にできる。
【００４４】
次に、請求項３に関する第３の実施の形態を説明する。基本動作は第１の実施の形態と同様である。図８にトップ画面を示し、図９にＲＳＳアグリゲータの表示例を示す。
リンク情報は、例えば全体を１つのＯＰＭＬファイルにとりまとめて表示する場合は、図８に示す通信装置のWeb機能のトップページにアイコンを表示する（例えば「OPML1.1」というアイコン）。このアイコンをブラウザでクリックするとＸＭＬファイル形式で中身が読める。また、アイコンをＲＳＳアグリゲータにドラッグ＆ドロップすると図９のように表示される。ＲＳＳのＵＲＬを登録しなくてもすむ。またＷｅｂのリンク集やブックマークと同様の効果がある。リンクについては、通常のＨＴＭＬの文法で記述する。
<a href="http://hostname/web/guest/ja/web.opml">OPML</a>
【００４５】
第３の実施の形態によれば、ＲＳＳファイルのＵＲＬ情報の存在を機器のＷｅｂページのトップページにリンクを置くことにより簡単に利用することができるようになる。即ち、ＲＳＳ出力のＵＲＬ情報をまとめて一元管理するためのＯＰＭＬファイルの存在場所を機器のＷｅｂ画面のトップページにおくことにより簡単にＵＲＬを知ることができる
【００４６】
次に、請求項４に関する第４の実施の形態を説明する。基本動作は第１の実施の形態と同様である。第３の実施の形態では、ＯＰＭＬが１つだったのでトップページにリンクを作成していたが、本実施の形態では、各機能ごとにファイルを分けている場合に、Ｗｅｂ画面のカテゴリ内の最初のページ（左端のメニュー画面内のカテゴリをクリックすると開く画面：例えば図８で「ファクス」メニューをクリックすると右のワーク画面内には「送信履歴」）内にそのカテゴリ内のＲＳＳのＵＲＬを集めたＯＰＭＬファイルのリンクを置く。これは、上記タイトル表示の「OPML1.1」というアイコンである。このアイコンをクリックした時の動作は第３の実施の形態と同様である。また、同一カテゴリ内の全ページに同じＯＰＭＬファイルのリンクをつけてもよい。
【００４７】
第４の実施の形態によれば、ＲＳＳファイルのＵＲＬ情報の存在を機器のＷｅｂページの各機能の最初のページにリンクを置くことにより機能ごとに簡単に利用することができるようになる。
【００４８】
次に、請求項５に関する第５の実施の形態を説明する。図１０にＯＰＭＬ出力機能のＷｅｂ画面を示す。
第３，４の実施の形態では、通信装置のWeb機能の表示ページ内にあるアイコンをクリックすることで、ＨＴＴＰによりＯＰＭＬファイルを取得していたが、本実施の形態では、 ＸＭＬファイルとして受け取ることができるように、メールによりＯＰＭＬファイルを送信することができる。図１０に示すようにメール宛先に入力したメールアドレスに対して送信ボタンを押すことによりＷｅｂブラウザ上から指示することができる。
【００４９】
第５の実施の形態によれば、ＲＳＳファイルのＵＲＬ情報をまとめてＸＭＬファイルとしてメールで送信することにより簡単に取得して利用することができるようになる。即ち、ＲＳＳ出力のＵＲＬ情報をまとめて一元管理するためのＯＰＭＬファイルをメールで通知することにより簡単に内容を取得することができる。
【００５０】
次に、請求項６に関する第６の実施の形態を説明する。
本実施の形態は第５の実施の形態と同様に図１０に示すようにメール宛先に入力したメールアドレスに対して送信ボタンを押すことによりＷｅｂブラウザ上から指示することができると共に、出力する機能もチェックボックスにより選択できる。このチェックした各機能が第２の実施の形態の図６（a）のように<outline>で束ねてＸＭＬファイルとして出力される。その場合、コピー機能、ＦＡＸ機能、プリンタ機能などのように分ける方法や、ジョブ履歴、初期設定などのカテゴリで分ける方法などがある。また、個別のページ（ＲＳＳのＵＲＬ）が重複してカテゴリに含まれることもある。
【００５１】
第６の実施の形態によれば、ＲＳＳファイルのＵＲＬ情報を必要な機能だけのＸＭＬファイルとしてメールで送信することにより簡単に取得して利用することができる。ＲＳＳ出力のＵＲＬ情報をまとめて一元管理するためのＯＰＭＬファイルをメールで通知することにより簡単に内容を取得することができる。メールで通知する内容は、機能選択をすることによりファイル内容を変更することができる。
【００５２】
次に、請求項７に関する第７の実施の形態を説明する。
第６の実施の形態では、メール出力する場合のカテゴリの選択方法について説明したが第３，４の実施の形態におけるアイコン表示のように、どのＷｅｂページのカテゴリにＯＰＭＬアイコンを付加するのか（つまり、どのページのデータを出力するのか）を図１０    と同様の手段で決定することができる。
【００５３】
第７の実施の形態によれば、ＯＰＭＬアイコン表示を行うＷｅｂページを機能選択をすることによりユーザが自由に選べるようになる。即ち、公開する機能を細かく選択できる第３，第４の実施の形態のＯＰＭＬアイコン表示を行うＷｅｂページを機能選択をすることによりユーザが選べるようにすることができる。
【図面の簡単な説明】
【００５４】
【図１】本発明の第１の実施の形態によるネットワーク通信装置を用いたネットワークシステムを示すブロック図である。
【図２】本発明の実施形態によるネットワーク通信装置の構成を示すブロック図である。
【図３】本発明の実施形態によるクライアントとサーバとの情報のやり取りを示すシーケンスチャートである。
【図４】本発明の実施形態によるネットワーク通信装置の動作を示すフローチャートである。
【図５】第１の実施の形態に関するＯＰＭＬフォーマットサンプル（全体表示）を示す構成図である。
【図６】第２，６の実施の形態に関するＯＰＭＬフォーマットサンプル（機能別）を示す構成図である。
【図７】第２の実施の形態に関する一覧画面（ＦＡＸ通信履歴）を示す構成図である。
【図８】第３，４の実施の形態に関するトップ画面を示す構成図である。
【図９】第１，３，４の実施の形態に関するＲＳＳアグリゲータの表示例（ＸＭＬ表示）を示す構成図である。
【図１０】第５，６，７の実施の形態に関するＯＰＭＬ出力機能のＷｅｂ画面を示す構成図である。
【符号の説明】
【００５５】
ＬＡＮ    ローカルエリアネットワーク
ＷＳ１〜ＷＳｎ    ワークステーション装置
ＳＭ    メールサーバ装置
ＦＸ    ネットワーク通信装置
ＲＴ    ルータ装置
１    システム制御部
２    システムメモリ
３    パラメータメモリ
４    時計回路
５    スキャナ
６    プロッタ
８    符号化複合化部
７    操作表示部
９    画像蓄積装置
１０    グループ３ファクシミリモデム
１１    網制御装置
１２    ローカルエリアネットワークインターフェース回路
１３    ローカルエリアネットワーク伝送制御部
１４    内部バス
【図１】
2006246261.tif 000005
【図２】
2006246261.tif 000006
【図３】
2006246261.tif 000007
【図４】
2006246261.tif 000008
【図５】
2006246261.tif 000009
【図６】
2006246261.tif 000010
【図７】
2006246261.tif 000011
【図８】
2006246261.tif 000012
【図９】
2006246261.tif 000013
【図１０】
2006246261.tif 000014